(57)【要約】【課題】  複数の大きさのハンドルに対応でき、しかもハンドルを安定して回転させることができて取り扱いが容易なウイルキーを提供する。【解決手段】  棒状の操作杆２の端部に、操作杆２の軸方向に対してほぼ垂直でかつ同一方向に延びる２つの挟持脚３ａ〜５ａからなる挟持脚対３〜５が、操作杆２の軸を中心にして放射線状に複数設けられている。そして、各挟持脚対３〜５の挟持脚３ａ〜５ａと挟持脚３ａ〜５ａとの間隔Ｄ１〜Ｄ３が異なるように設定されている。【選択図】  図１
2008142817.tif 000002
【特許請求の範囲】
【請求項１】
棒状の操作杆の端部に、前記操作杆の軸方向に対してほぼ垂直でかつ同一方向に延びる２つの挟持脚からなる挟持脚対が、前記操作杆の軸を中心にして放射線状に複数設けられ、前記各挟持脚対の挟持脚と挟持脚との間隔が異なっていることを特徴とするウイルキー。
【請求項２】
棒状の操作杆の一端部に、前記操作杆の軸方向に対してほぼ垂直でかつ同一方向に延びる２つの挟持脚が設けられた第１のウイルキーと第２のウイルキーとを備え、
前記第１、第２のウイルキーの挟持脚と挟持脚との間隔が異なり、かつ、前記第１のウイルキーと第２のウイルキーとの操作杆が互いの他端部において同軸上で連結され、その連結の解除が可能であることを特徴とするウイルキー。
【発明の詳細な説明】
【技術分野】
【０００１】
この発明は、ハンドルを回転させるために使用されるウイルキーに関する。
【背景技術】
【０００２】
燃料配管や水・蒸気配管などに設置されている弁のハンドルを回転させて弁を開閉する際に、狭い場所でのハンドルの回転操作を容易にしたり、より大きな力をハンドルに与えたりするために、ウイルキーが使用される場合がある。このウイルキーは、図８に示すように、棒状の操作杆１０１の一端部に、操作杆１０１に対してほぼ垂直に延びる２つの挟持脚１０２、１０３が、互いに対向するように設けられている。そして、例えば、図９に示すようなハンドル１０４に対して、次のようにして使用する。すなわち、ハンドル１０４の円環部１０４ａと直線部１０４ｂとの接合部１０４ｃを挟持脚１０２、１０３で挟み、操作杆１０１を回す。これにより、ハンドル１０４が回転し、ハンドル１０４が設けられた弁１０５が開閉するものである。
【０００３】
ところで、ハンドル１０４の円環部１０４ａの円環直径や太さなどは、弁の種類や大きさなどに応じて設定されている。つまり、ハンドル１０４には、いろいろな大きさのものが存在する。このため、挟持脚１０２と挟持脚１０３との間隔がハンドル１０４の大きさに合ったウイルキーを使用する必要がある。そこで、１つで複数の大きさのハンドルに対応可能なウイルキーが知られている（例えば、特許文献１参照。）。このウイルキーは、棒状の操作杆に、この操作杆から延長された固定脚と、操作杆に沿ってスライド自在に装着され固定脚に対して前進、後退可能な可動脚とが設けられている。さらに、固定脚と可動脚とが、操作杆から外側に拡がる末広がり形状となっている。そして、ハンドルの大きさに合わせて可動脚をスライドさせてボルトで仮止めし、固定脚と可動脚とによってハンドルを挟持した状態で操作杆を回すことで、ハンドルを回転させることができる、というものである。
【特許文献１】実開平０６−１７８７４号公報
【発明の開示】
【発明が解決しようとする課題】
【０００４】
ところで、ハンドルを回すのに大きな力、トルクを必要とする場合があり、上記特許文献１に記載されているようなウイルキーでは、可動脚を操作杆にボルトで仮止めしているため、操作杆を回した際に、ボルトが緩んで可動脚が移動してしまうおそれがある。そして、可動脚が移動してしまうと、固定脚と可動脚とがハンドルを挟持できなくなり、操作杆を回している力が抜けて、操作杆を把持している作業者などが振り回されてしまう。また、上記のようなウイルキーでは、ハンドルを回転させるごとに、ハンドルの大きさに合わせて可動脚をスライドさせてボルトで仮止めしなければならないため、時間と労力とを要する。
【０００５】
そこで本発明は、複数の大きさのハンドルに対応でき、しかもハンドルを安定して回転させることができて取り扱いが容易なウイルキーを提供することを目的とする。
【課題を解決するための手段】
【０００６】
上記目的を達成するために請求項１に記載の発明は、棒状の操作杆の端部に、前記操作杆の軸方向に対してほぼ垂直でかつ同一方向に延びる２つの挟持脚からなる挟持脚対が、前記操作杆の軸を中心にして放射線状に複数設けられ、前記各挟持脚対の挟持脚と挟持脚との間隔が異なっていることを特徴とするウイルキーである。
（作用）
このようなウイルキーを用いてハンドルを回転させるには、ハンドルの大きさに合った間隔の挟持脚対をハンドルを挟むように位置させ、操作杆を回す。すると、２つの挟持脚でハンドルが挟持され、操作杆の回転に伴ってハンドルが回転する。
【０００７】
請求項２に記載の発明は、棒状の操作杆の一端部に、前記操作杆の軸方向に対してほぼ垂直でかつ同一方向に延びる２つの挟持脚が設けられた第１のウイルキーと第２のウイルキーとを備え、前記第１、第２のウイルキーの挟持脚と挟持脚との間隔が異なり、かつ、前記第１のウイルキーと第２のウイルキーとの操作杆が互いの他端部において同軸上で連結され、その連結の解除が可能であることを特徴とするウイルキーである。
（作用）
このようなウイルキーを用いてハンドルを回転させるには、ハンドルの大きさに合った第１のウイルキーまたは第２のウイルキーの挟持脚をハンドルを挟むように位置させ、操作杆を回す。すると、２つの挟持脚でハンドルが挟持され、操作杆の回転に伴ってハンドルが回転する。
【発明の効果】
【０００８】
請求項１に記載の発明によれば、挟持脚と挟持脚との間隔が異なる挟持脚対が複数設けられているため、ハンドルの大きさに合った間隔の挟持脚対でハンドルを挟むことで、複数の大きさのハンドルに対応することができる。しかも、各挟持脚対の挟持脚が固定されているため、挟持脚が移動してハンドルから外れることがなく、ハンドルを安定して回転させることができる。さらに、挟持脚対が操作杆の軸を中心にして放射線状に複数設けられているため、操作杆を軸中心に回転させてハンドルの大きさに合った間隔の挟持脚対でハンドルを挟めばよい。つまり、従来のようにハンドルの大きさに合わせて可動脚をスライドさせてボルトで仮止めするなどの操作が不要で、取り扱いが容易となり、作業も迅速になる。
【０００９】
請求項２に記載の発明によれば、挟持脚と挟持脚との間隔が異なる第１のウイルキーと第２のウイルキーとが連結されているため、ハンドルの大きさに合った第１のウイルキーまたは第２のウイルキーの挟持脚でハンドルを挟むことで、複数の大きさのハンドルに対応することができる。しかも、第１のウイルキーと第２のウイルキーとの連結が解除可能なため、例えば、先の第１のウイルキーの挟持脚間隔とは異なる別の第１のウイルキーを第２のウイルキーと連結することで、さらに複数の大きさのハンドルに対応することができる。また、第１のウイルキーと第２のウイルキーとが操作杆の同軸上で連結されており、各挟持脚はそれぞれの操作杆に固定されているため、挟持脚が移動してハンドルから外れることがなく、ハンドルを安定して回転させることができる。さらに、第１のウイルキーと第２のウイルキーとの操作杆が互いの他端部において同軸上で連結されており、ウイルキーの両端部に挟持脚が位置する。このため、ハンドルの大きさに合った間隔の挟持脚をハンドルに向けて、ハンドルを挟めばよい。つまり、従来のようにハンドルの大きさに合わせて可動脚をスライドさせてボルトで仮止めするなどの操作が不要で、取り扱いが容易となり、作業も迅速になる。
【発明を実施するための最良の形態】
【００１０】
以下、本発明を図示の実施の形態に基づいて説明する。
【００１１】
（実施の形態１）
図１は、この実施の形態に係るウイルキー１の正面図であり、図２は、図１の左側面図である。このウイルキー１は鋼材製で、後述するように、燃料配管や水・蒸気配管などに設置されている弁１０５のハンドル１０４を回転させるための回転工具であって、主として、操作杆２と、３つの挟持脚対３〜５とを備えている。
【００１２】
操作杆２は丸棒状で、その一端部に３つの挟持脚対３〜５が一体的に形成されている。各挟持脚対３〜５は、２つの（１対の）挟持脚３ａ〜５ａから構成され、各挟持脚３ａ〜５ａは丸棒状で、操作杆２の軸方向に対して垂直でかつ同一方向に延びている。つまり、各挟持脚３ａ〜５ａが操作杆２に沿って配設されている。そして、各挟持脚対３〜５が、操作杆２の軸を中心にして（操作杆２を軸として）放射線状に、等角度（１２０°間隔）に配設されている。
【００１３】
また、第１の挟持脚対３の挟持脚３ａと挟持脚３ａとの間隔（距離）Ｄ１と、第２の挟持脚対４の挟持脚４ａと挟持脚４ａとの間隔Ｄ２と、第３の挟持脚対５の挟持脚５ａと挟持脚５ａとの間隔Ｄ３とはそれぞれ異なり、次のような関係になっている。
【００１４】
Ｄ１＞Ｄ２＞Ｄ３
さらに、第１の挟持脚対３の挟持脚３ａの長さＨ１と、第２の挟持脚対４の挟持脚４ａの長さＨ２と、第３の挟持脚対５の挟持脚５ａの長さＨ３との関係は、次のようになっている。
【００１５】
Ｈ１＞Ｈ２＞Ｈ３
そして、第１の挟持脚対３の間隔Ｄ１と長さＨ１とは、大きいハンドル１０４を把持できるように設定され、第２の挟持脚対４の間隔Ｄ２と長さＨ２とは、中程度のハンドル１０４を把持できるように設定され、第３の挟持脚対５の間隔Ｄ３と長さＨ３とは、小さいハンドル１０４を把持できるように設定されている。ここで、大きいハンドル１０４とは、例えば、回転対象となるハンドル１０４群の中で、ハンドル１０４の円環部１０４ａの円環直径や太さなどが大きいグループに属するハンドル１０４である。また、中程度のハンドル１０４とは、円環部１０４ａの円環直径や太さなどが中程度の大きさのグループに属するハンドル１０４である。さらに、小さいハンドル１０４とは、円環部１０４ａの円環直径や太さなどが小さいグループに属するハンドル１０４である。
【００１６】
一方、操作杆２の他端部には、楕円リング状の吊り輪２ａが形成され、工具置場のフックなどに掛けられるようになっている。また、ウイルキー１の全長Ｌは、操作杆２によるてこの原理を利用して、ハンドル１０４を回転させるのに要する力（トルク）を十分出せるように設定されている。同様に、操作杆２の直径および各挟持脚３ａ〜５ａの直径は、対象とするハンドル１０４を回転させるのに要する力に十分耐え得る強度（曲げ剛性など）が得られるように設定されている。
【００１７】
次に、このような構成のウイルキー１の作用などについて説明する。ここで、この実施の形態では、燃料配管や水・蒸気配管などに設置されている弁１０５のハンドル１０４を、ウイルキー１を用いて回転させる場合について説明する。また、ハンドル１０４は、図３に示すように、円環状の円環部１０４ａと、円環部１０４ａの中心から放射線状に延びて円環部１０４ａに接合する直線部１０４ｂとを備えたものとする。
【００１８】
まず、ハンドル１０４（接合部１０４ｃ）の大きさに合った間隔の挟持脚対３〜５をハンドル１０４側に向ける。ここでは、第１の挟持脚対３がハンドル１０４の大きさに合っているとする。そして、第１の挟持脚対３の挟持脚３ａと挟持脚３ａとを、ハンドル１０４の円環部１０４ａと直線部１０４ｂとの接合部１０４ｃを挟むように位置させ、操作杆２を回す。すると、２つの挟持脚３ａでハンドル１０４の接合部１０４ｃが挟持され、操作杆２の回転に伴ってハンドル１０４が回転し、弁１０５が開閉するものである。
【００１９】
以上のように、本ウイルキー１によれば、挟持脚３ａ〜５ａの間隔が異なる挟持脚対３〜５が複数設けられているため、ハンドル１０４の大きさに合った間隔の挟持脚対３〜５でハンドル１０４を挟むことで、複数の大きさのハンドル１０４に対応することができる。しかも、各挟持脚対３〜５の挟持脚３ａ〜５ａが、操作杆２に一体的に形成されている、つまり操作杆２に固定されているため、挟持脚３ａ〜５ａが移動してハンドル１０４から外れることがなく、ハンドル１０４を安定して回転させることができる。さらに、挟持脚対３〜５が操作杆２の軸を中心にして放射線状に複数設けられているため、操作杆２を軸中心に回転させて、ハンドル１０４の大きさに合った間隔の挟持脚対３〜５でハンドル１０４を挟めばよい。つまり、従来のようにハンドル１０４の大きさに合わせて可動脚をスライドさせてボルトで仮止めするなどの操作が不要で、取り扱いが容易となり、作業も迅速になる。
【００２０】
（実施の形態２）
図４は、この実施の形態に係るウイルキー２１の正面図である。このウイルキー２１は、鋼材製の第１のウイルキー２２と第２のウイルキー２３とから構成されている。
【００２１】
第１のウイルキー２２は、図５に示すように、丸棒状の操作杆２２ａの一端部に、操作杆２２ａの軸方向に対して垂直でかつ同一方向に延びる２つの挟持脚２２ｂが、一体的に形成されている。また、操作杆２２ａの他端部には、軸方向に沿った挿入孔２２ｃが形成され、この挿入孔２２ｃの先端部（挟持脚２２ｂ側）には、雌ネジ２２ｄが形成されている。この挿入孔２２ｃの孔径は、後述する第２のウイルキー２３の操作杆２３ａを挿入でき、静合するように（隙間が小さくなるように）設定され、雌ネジ２２ｄは、第２のウイルキー２３の雄ネジ２３ｃが螺合するように設定されている。
【００２２】
第２のウイルキー２３は、図６に示すように、丸棒状の操作杆２３ａの一端部に、操作杆２３ａの軸方向に対して垂直でかつ同一方向に延びる２つの挟持脚２３ｂが、一体的に形成されている。また、操作杆２３ａの他端部には、雄ネジ２３ｃが形成されている。なお、上記のように、操作杆２３ａは挿入孔２２ｃに挿入でき、雄ネジ２３ｃは雌ネジ２２ｄと螺合するように設定されている。
【００２３】
第１のウイルキー２２の挟持脚２２ｂ、２２ｂの間隔Ｄ４と、第２のウイルキー２３の挟持脚２３ｂ、２３ｂの間隔Ｄ５とは異なり、次のような関係になっている。
【００２４】
Ｄ４＞Ｄ５
また、第１のウイルキー２２の挟持脚２２ｂの長さＨ４と、第２のウイルキー２３の挟持脚２３ｂの長さＨ５との関係は、次のようになっている。
【００２５】
Ｈ４＞Ｈ５
そして、第１のウイルキー２２の間隔Ｄ４と長さＨ４とは、大きいハンドル１０４を把持できるように設定され、第２のウイルキー２３の間隔Ｄ５と長さＨ５とは、小さいハンドル１０４を把持できるように設定されている。ここで、大きいハンドル１０４および小さいハンドル１０４の意は、実施の形態１の場合と同様である。
【００２６】
このような第１のウイルキー２２の操作杆２２ａと、第２のウイルキー２３の操作杆２３ａとが、互いの他端部において同軸上で連結されている。つまり、第２のウイルキー２３の操作杆２３ａが第１のウイルキー２２の挿入孔２２ｃに挿入され、雌ネジ２２ｄと雄ネジ２３ｃとが螺合した状態で、連結されている。また、雌ネジ２２ｄと雄ネジ２３ｃとの螺合を解除し、第２のウイルキー２３の操作杆２３ａを挿入孔２２ｃから引き出すことで、連結が解除できるようになっている。
【００２７】
このような構成のウイルキー２１を用いてハンドル１０４を回転させるには、次のようにすればよい。すなわち、ハンドル１０４の大きさに合った第１のウイルキー２２または第２のウイルキー２３の挟持脚２２ｂ、２３ｂを、ハンドル１０４側に向ける。ここでは、第１のウイルキー２２の挟持脚２２ｂがハンドル１０４の大きさに合っているとする。そして、図７に示すように、第１のウイルキー２２の挟持脚２２ｂをハンドル１０４の接合部１０４ｃを挟むように位置させ、操作杆２２ａを回す。すると、２つの挟持脚２２ｂでハンドル１０４の接合部１０４ｃが挟持され、操作杆２２ａの回転に伴ってハンドル１０４が回転し、弁１０５が開閉するものである。
【００２８】
以上のように、本ウイルキー２１によれば、挟持脚２２ｂ、２３ｂの間隔Ｄ４、Ｄ５が異なる第１のウイルキー２２と第２のウイルキー２３とが連結されているため、ハンドル１０４の大きさに合った第１のウイルキー２２または第２のウイルキー２３の挟持脚２２ｂ、２３ｂでハンドル１０４を挟むことで、複数の大きさのハンドル１０４に対応することができる。しかも、第１のウイルキー２２と第２のウイルキー２３との連結が解除可能なため、例えば、挟持脚２２ｂ、２３ｂの間隔Ｄ４、Ｄ５とは異なる間隔の挟持脚を備えた別の第１のウイルキーを第２のウイルキー２３に連結することで、さらに複数の大きさのハンドル１０４に対応することができる。
【００２９】
また、第１のウイルキー２２と第２のウイルキー２３とが操作杆２２ａ、２３ａの同軸上で連結されており、各挟持脚２２ｂ、２３ｂはそれぞれの操作杆２２ａ、２３ａに一体的に形成されている（固定されている）ため、挟持脚２２ｂ、２３ｂが移動してハンドル１０４から外れることがなく、ハンドル１０４を安定して回転させることができる。さらに、第１のウイルキー２２と第２のウイルキー２３との操作杆２２ａ、２３ａが互いの他端部において同軸上で連結さており、ウイルキー２１の両端部に挟持脚２２ｂ、２３ｂが位置する。このため、ハンドル１０４の大きさに合った間隔の挟持脚２２ｂ、２３ｂをハンドル１０４に向けて、ハンドル１０４を挟めばよい。つまり、従来のようにハンドル１０４の大きさに合わせて可動脚をスライドさせてボルトで仮止めするなどの操作が不要で、取り扱いが容易となり、作業も迅速になる。
【００３０】
以上、この発明の実施の形態１、２について詳述してきたが、具体的な構成はこれらの実施の形態に限られるものではなく、この発明の要旨を逸脱しない範囲の設計の変更等があっても、この発明に含まれる。例えば、実施の態様１、２では、操作杆の軸方向に対して垂直に挟持脚が形成されているが、操作杆から外側に拡がる末広がり状に挟持脚を形成してもよい。また、実施の形態１では、操作杆２の一端部に３つの挟持脚対３〜５を形成しているが、ハンドル１０４の大きさの数などに応じて、挟持脚対３〜５を操作杆２の両端部に形成してもよく、挟持脚対をさらに多くあるいは２つのみ形成するようにしてもよい。なお、上記のような円環部１０４ａと直線部１０４ｂとを備えたハンドル１０４以外のハンドルにも適用できることは勿論である。
【図面の簡単な説明】
【００３１】
【図１】本発明の実施の形態１に係るウイルキーの正面図である。
【図２】図１の左側面図である。
【図３】図１のウイルキーを用いてハンドルを回転させている状態を示す平面図（ａ）と正面図（ｂ）である。
【図４】本発明の実施の形態２に係るウイルキーの正面図である。
【図５】図４のウイルキーの第１のウイルキーの正面図である。
【図６】図４のウイルキーの第２のウイルキーの正面図である。
【図７】図４のウイルキーを用いてハンドルを回転させている状態を示す平面図（ａ）と正面図（ｂ）である。
【図８】従来のウイルキーの正面図である。
【図９】図８のウイルキーを用いてハンドルを回転させている状態を示す平面図（ａ）と正面図（ｂ）である。
【符号の説明】
【００３２】
１          ウイルキー
２          操作杆
３〜５      挟持脚対
３ａ〜５ａ  挟持脚
Ｄ１〜Ｄ５  挟持脚の間隔
２１        ウイルキー
２２        第１のウイルキー
２２ａ      操作杆
２２ｂ      挟持脚
２２ｃ      挿入孔
２２ｄ      雌ネジ
２３        第２のウイルキー
２３ａ      操作杆
２３ｂ      挟持脚
２３ｃ      雄ネジ
１０４      ハンドル
１０５      弁
【図１】
2008142817.tif 000003
【図２】
2008142817.tif 000004
【図３】
2008142817.tif 000005
【図４】
2008142817.tif 000006
【図５】
2008142817.tif 000007
【図６】
2008142817.tif 000008
【図７】
2008142817.tif 000009
【図８】
2008142817.tif 000010
【図９】
2008142817.tif 000011